(57)【要約】【課題】被貼付物の表面形状及び貼付体本体の周縁形状をシンプルにすることができるとともに、位置決め凸部が外部から見えるのをなくすることができる貼付体、貼付構造及び貼付方法を提供する。【解決手段】被貼付物としてのキャビネットには、装飾板２が貼付けられる被貼付面の周縁の一部から外側へ出た位置で窪む位置決め凹部を設け、装飾板本体２１の接着層に剥離紙２２が貼付けられている装飾板２は、剥離紙２２の周縁の一部から貼付体本体２１の周縁よりも外側へ延出され、位置決め凹部に嵌合されるべき位置決め凸部２２ａを設け、剥離紙２２の剥離により位置決め凸部２２ａがなくなるようにした。【選択図】図２
2013133457.tif 000002
【特許請求の範囲】
【請求項１】
被貼付物に貼付けられる側の面に接着層を有する貼付体本体及び前記接着層に接着されている剥離紙を有し、矩形をなす貼付体において、前記剥離紙は、一の長辺の中間に、前記貼付体本体の周縁よりも外側へ延出されている凸部及び該凸部を有する凸部側部分と非凸部側部分とに分断するスリットを有することを特徴とする貼付体。
【請求項２】
前記剥離紙は、前記一の長辺の対向長辺から前記貼付体本体の周縁よりも外側へ延出された摘み片を有し、該摘み片の中間に前記スリットを配してある請求項２記載の貼付体。
【請求項３】
被貼付物に貼付けられる側の面に接着層を有する貼付体本体及び前記接着層に接着されている剥離紙を有する貼付体を前記被貼付物に貼付ける貼付構造において、前記被貼付物は、前記貼付体が貼付けられる被貼付面の周縁の一部から外側へ出た位置で窪む位置決め凹部を有し、前記貼付体は、前記剥離紙の周縁の一部から前記貼付体本体の周縁よりも外側へ延出され、前記位置決め凹部に対応する位置決め凸部を有することを特徴とする貼付構造。
【請求項４】
前記貼付体は矩形をなし、一の長辺の中間に前記位置決め凸部を配してある請求項３記載の貼付構造。
【請求項５】
前記剥離紙は、前記位置決め凸部を有する凸部側部分と非凸部側部分とに分断するスリットを有する請求項３又は４記載の貼付構造。
【請求項６】
前記剥離紙は、前記一の長辺の対向長辺から前記貼付体本体の周縁よりも外側へ延出された摘み片を有し、該摘み片の中間に前記スリットを配してある請求項５記載の貼付構造。
【請求項７】
被貼付面及び該被貼付面の周縁の一部から外側へ出た位置で窪む位置決め凹部を有する被貼付物と、前記被貼付面に貼付けられる側の面に接着層を有する貼付体本体及びその周縁の一部に、前記貼付体本体の周縁よりも外側へ延出された位置決め凸部を有する剥離紙を備え、該剥離紙が前記接着層に接着されている貼付体とを用意し、前記剥離紙の位置決め凸部を前記位置決め凹部に位置合わせして前記貼付体の貼付け位置を決め、前記剥離紙を剥離し、前記貼付体本体を前記被貼付面に貼付けることを特徴とする貼付体の貼付方法。
【請求項８】
被貼付面及び該被貼付面の周縁の一部から外側へ出た位置で窪む位置決め凹部を有する被貼付物と、前記被貼付面に貼付けられる側の面に接着層を有する貼付体本体及び前記接着層に接着され、その周縁の一部に、前記貼付体本体の周縁よりも外側へ延出された位置決め凸部を有し、且つ該位置決め凸部を有する凸部側部分と非凸部側部分とに分断するスリットを有する剥離紙を備える貼付体とを用意し、前記剥離紙の位置決め凸部を前記位置決め凹部に位置合わせして位置決めし、前記凸部側部分を剥離し、前記非凸部側部分を剥離し、前記貼付体本体を前記被貼付面に貼付けることを特徴とする貼付体の貼付方法。
【発明の詳細な説明】
【技術分野】
【０００１】
本発明は貼付体本体に剥離紙が接着されている貼付体、該貼付体を被貼付物に貼付ける貼付構造及び貼付方法に関する。
【背景技術】
【０００２】
ラベル、シート、装飾板などの板状部品の貼付けには主として両面テープが採用されており、両面テープの片面に接着されている剥離紙を剥離し、板状部品の貼付け位置を決めた状態で該板状部品が貼付けられる。
【０００３】
板状部品の位置決めは、板状部品に対応する凹部又は環状凸部を被貼付物の表面に設け、凹部の周縁又は環状凸部の内縁にて位置決めが行われる。また、特許文献１に記載されているように、板状部品としての装飾板の周縁の一部に、外側へ延出された位置決め突起が設けられ、該位置決め突起が嵌入される位置決め孔が、被貼付物としてのキャビネットに設けられ、位置決め突起を位置決め孔に嵌入することにより装飾板の貼付け位置が決められる。位置決め孔は、被貼付面の周縁の一部から外側へ出た位置に開設される。
【０００４】
図１２Ａ、図１２Ｂは表示装置に適用された従来の貼付構造の説明図である。特許文献１のように、被貼付物としてのキャビネットＣの下部に装飾板Ｄが貼付られる表示装置にあっては、被貼付面Ｅの上側に横長の装飾杆Ｆが装着されるものもある。このように構成された表示装置は、キャビネットＣの被貼付面Ｅの上側に横長の溝Ｇが形成され、断面Ｊ字状をなす装飾杆Ｆが溝Ｇに嵌入保持されるため、装飾板Ｄに前記位置決め突起Ｈが設けられている場合、装飾杆Ｆの位置決め突起Ｈと対向する箇所に欠除部Ｊを設け、装飾杆Ｆに邪魔されることなく位置決め突起Ｈを位置決め孔Ｋに嵌入可能に構成する必要がある。
【０００５】
剥離紙が接着されている板状部品は特許文献２に記載されている。この板状部品は、剥離紙（セパレータ）の周縁の一部から板状部品の周縁よりも外側へ延出された摘み片（取っ手部）を有し、該摘み片を摘んで剥離紙を容易に剥離することができるように構成されている。
【先行技術文献】
【特許文献】
【０００６】
【特許文献１】特開２００９−１８２８４０号公報
【特許文献２】特開２００２−３４１３０３号公報
【発明の概要】
【発明が解決しようとする課題】
【０００７】
ところが、貼付体の貼付け位置を決めるために、被貼付物の表面に凹部又は環状凸部が設けられるものにあっては、被貼付物の表面形状が複雑になり、被貼付物のコストが高くなるという問題があった。また、特許文献１のように被貼付物としてのキャビネットに位置決め孔が設けられ、貼付体としての装飾板に位置決め突起が設けられるものにあっては、装飾板が貼付けられている状態で位置決め突起の基部が位置決め孔から露出し、位置決め突起の基部が外部から見えることになり、品位の低下を来すことになる。また、図１２Ａ、図１２Ｂのように装飾板の上側に装飾杆が装着されている表示装置にあっては、装飾杆の長手方向の中間に、位置決め突起に対応する欠除部を設ける必要があるため、装飾杆の強度が低下するとともに、装飾杆のコストが高くなり、ひいては装飾杆を有する表示装置のコストが高くなるという問題があった。
【０００８】
また、特許文献２のように剥離紙に摘み片が設けられているものにあっては、被貼付物の表面に凹部又は環状凸部を設ける必要があり、被貼付物の表面形状が複雑になり、被貼付物のコストが高くなるという問題があった。
【０００９】
本発明は斯かる事情に鑑みてなされたものであり、主たる目的は被貼付物に位置決め凹部を設け、貼付体本体に接着されている剥離紙に位置決め凸部を設けることにより、貼付体を適正な位置に位置決めした状態で貼付体本体を容易に貼付けることができながら、被貼付物の表面形状及び貼付体本体の周縁形状をシンプルにすることができ、しかも、位置決め凸部が外部から見えるのをなくすることができる貼付構造及び貼付方法を提供することにある。
【００１０】
また、他の目的は、貼付体本体に接着されている剥離紙に凸部及び該凸部を有する凸部側部分と非凸部側部分とに分断するスリットを設けることにより、貼付体を適正な位置に位置決めすることが可能であるとともに、先に剥離した非凸部側部分が邪魔にならない状態で残りの凸部側部分を剥離することができ、貼付体本体の適正位置での貼付け作業性を高めることができる貼付体を提供することにある。
【課題を解決するための手段】
【００１１】
本発明に係る貼付体は、被貼付物に貼付けられる側の面に接着層を有する貼付体本体及び前記接着層に接着されている剥離紙を有し、矩形をなす貼付体において、前記剥離紙は、一の長辺の中間に、前記貼付体本体の周縁よりも外側へ延出されている凸部及び該凸部を有する凸部側部分と非凸部側部分とに分断するスリットを有することを特徴とする。
この発明にあっては、被貼付物の被貼付面に対する貼付体の位置を凸部にて位置決めすることが可能であり、この位置決めしている状態で、剥離紙の非凸部側部分を剥離して除去することができるため、先に剥離した部分が邪魔にならない状態で残りの凸部側部分を剥離することができ、貼付体本体の適正位置での貼付け作業性を高めることができる。
【００１２】
また、本発明に係る貼付体は、前記剥離紙は、前記一の長辺の対向長辺から前記貼付体本体の周縁よりも外側へ延出された摘み片を有し、該摘み片の中間に前記スリットを配してある構成とするのが好ましい。
この発明にあっては、凸部側部分と非凸部側部分とに摘み片があり、夫々の摘み片を摘んで凸部側部分と非凸部側部分とを離隔する方向へ剥離することができるため、貼付体本体の凸部に近い側を真っ先に貼付けることができ、適正位置に対する位置ずれをより一層なくし得る。
【００１３】
また、本発明に係る貼付構造は、被貼付物に貼付けられる側の面に接着層を有する貼付体本体及び前記接着層に接着されている剥離紙を有する貼付体を前記被貼付物に貼付ける貼付構造において、前記被貼付物は、前記貼付体が貼付けられる被貼付面の周縁の一部から外側へ出た位置で窪む位置決め凹部を有し、前記貼付体は、前記剥離紙の周縁の一部から前記貼付体本体の周縁よりも外側へ延出され、前記位置決め凹部に対応する位置決め凸部を有することを特徴とする。
【００１４】
この発明にあっては、貼付体に設けられている位置決め凸部を、被貼付物に設けられている位置決め凹部に対向させることにより、貼付体を適正な位置に位置決めすることができ、この位置決めした状態で、位置決め凸部から離隔した部分から剥離紙を剥離しつつ貼付体本体を適正位置に容易に貼付けることができる。また、位置決め凸部は剥離紙にあり、貼付体本体にはないため、貼付けられている状態で位置決め凸部が外部から見えるのをなくすることができ、品位を高めることができる。
【００１５】
また、本発明に係る貼付構造は、前記貼付体は矩形をなし、一の長辺の中間に前記位置決め凸部を配してある構成とするのが好ましい。
この発明にあっては、貼付体が比較的長く形成されている場合においても、貼付体の長手方向中央側で位置決めし、位置決めした状態で長手方向の端部を剥離しつつ長手方向の端部から貼付けることができ、比較的長い貼付体の貼付け作業性を高めることができる。
【００１６】
また、本発明に係る貼付構造は、前記剥離紙は、前記位置決め凸部を有する凸部側部分と非凸部側部分とに分断するスリットを有する構成とするのが好ましい。
この発明にあっては、位置決め凸部が位置決め状態を維持している状態で、剥離紙の非凸部側部分を剥離して除去することができるため、先に剥離した部分が邪魔にならない状態で残りの凸部側部分を剥離することができ、貼付体本体の適正位置での貼付け作業性を高めることができる。
【００１７】
また、本発明に係る貼付構造は、前記剥離紙は、前記一の長辺の対向長辺から前記貼付体本体の周縁よりも外側へ延出された摘み片を有し、該摘み片の中間に前記スリットを配してある構成とするのが好ましい。
この発明にあっては、凸部側部分と非凸部側部分とに摘み片があり、夫々の摘み片を摘んで凸部側部分と非凸部側部分とを離隔する方向へ剥離することができるため、貼付体本体の位置決め凸部に近い側を真っ先に貼付けることができ、適正位置に対する位置ずれをより一層なくし得る。
【００１８】
また、本発明に係る貼付方法は、被貼付面及び該被貼付面の周縁の一部から外側へ出た位置で窪む位置決め凹部を有する被貼付物と、前記被貼付面に貼付けられる側の面に接着層を有する貼付体本体及びその周縁の一部に、前記貼付体本体の周縁よりも外側へ延出された位置決め凸部を有する剥離紙を備え、該剥離紙が前記接着層に接着されている貼付体とを用意し、前記剥離紙の位置決め凸部を前記位置決め凹部に位置合わせして前記貼付体の貼付け位置を決め、前記剥離紙を剥離し、前記貼付体本体を前記被貼付面に貼付けることを特徴とする。
【００１９】
この発明にあっては、貼付体に設けられている位置決め凸部を、被貼付物に設けられている位置決め凹部に位置合わせすることにより、貼付体を適正な位置に位置決めすることができ、この位置決めした状態で、剥離紙の位置決め凸部から離隔した部分を剥離しつつ貼付体本体を適正位置に容易に貼付けることができる。また、位置決め凸部は剥離紙にあり、貼付体本体にはないため、貼付けられている状態で位置決め凸部が外部から見えるのをなくすることができ、品位を高めることができる。
【００２０】
また、本発明に係る貼付方法は、被貼付面及び該被貼付面の周縁の一部から外側へ出た位置で窪む位置決め凹部を有する被貼付物と、前記被貼付面に貼付けられる側の面に接着層を有する貼付体本体及び前記接着層に接着され、その周縁の一部に、前記貼付体本体の周縁よりも外側へ延出された位置決め凸部を有し、且つ該位置決め凸部を有する凸部側部分と非凸部側部分とに分断するスリットを有する剥離紙を備える貼付体とを用意し、前記剥離紙の位置決め凸部を前記位置決め凹部に位置合わせして位置決めし、前記凸部側部分を剥離し、前記非凸部側部分を剥離し、前記貼付体本体を前記被貼付面に貼付けることを特徴とする。
【００２１】
この発明にあっては、貼付体に設けられている位置決め凸部を、被貼付物に設けられている位置決め凹部に位置合わせすることにより、貼付体を適正な位置に位置決めすることができ、この位置決めした状態で、剥離紙の凸部側部分を剥離しつつ貼付体本体の一部を適正位置に容易に貼付けることができ、次に非凸部側部分を剥離しつつ貼付体本体の他部を適正位置に容易に貼付けることができる。また、位置決め凸部は剥離紙にあり、貼付体本体にはないため、貼付けられている状態で位置決め凸部が外部から見えるのをなくすることができ、品位を高めることができる。
【発明の効果】
【００２２】
本発明によれば、貼付体に設けられている位置決め凸部を、被貼付物に設けられている位置決め凹部に嵌合することにより、貼付体を適正な位置に位置決めすることができ、この位置決めした状態で、剥離紙を剥離しつつ貼付体本体を適正位置に貼付けることができる。しかも、位置決め凸部は剥離紙にあり、貼付体本体にはないため、貼付けられている状態で位置決め凸部が外部から見えるのをなくすることができ、品位を高めることができる。
【００２３】
また、本発明によれば、貼付体を適正な位置に位置決めすることが可能であるとともに、先に剥離した非凸部側部分が邪魔にならない状態で残りの凸部側部分を剥離することができ、貼付体本体の適正位置での貼付け作業性を高めることができる。
【図面の簡単な説明】
【００２４】
【図１】本発明に係る貼付構造が適用された表示装置の正面図である。
【図２】本発明に係る貼付構造の貼付体の構成を示す背面図である。
【図３】Ａは表示装置の前側下部の非貼付け状態の構成を示す縦断側面図であり、Ｂは表示装置の前側下部の非貼付け状態の構成を示す一部切欠正面図である。
【図４】貼付体が表示装置の枠体に位置決めされている状態を示す部分正面図である。
【図５】貼付体が表示装置の枠体に位置決めされている状態を示す縦断側面図である。
【図６】貼付体における剥離紙の剥離過程を示す説明図である。
【図７】貼付体が貼付けられた状態を示す縦断側面図である。
【図８】貼付体が貼付けられた状態を示す部分正面図である。
【図９】貼付体の他の構成を示す部分背面図である。
【図１０】貼付体の他の構成を示す部分背面図である。
【図１１】貼付構造の他の構成を示す説明図である。
【図１２】表示装置に適用された従来の貼付構造の説明図である。
【発明を実施するための形態】
【００２５】
以下本発明をその実施の形態を示す図面に基づいて詳述する。
実施の形態１
図１は本発明に係る貼付構造が適用された表示装置の正面図、図２は本発明に係る貼付構造の貼付体の構成を示す背面図、図３Ａは表示装置の前側下部の非貼付け状態の構成を示す縦断側面図、図３Ｂは表示装置の前側下部の非貼付け状態の構成を示す一部切欠正面図、図４は貼付体が表示装置の枠体に位置決めされている状態を示す部分正面図、図５は貼付体が表示装置の枠体に位置決めされている状態を示す縦断側面図、図６は貼付体における剥離紙の剥離過程を示す説明図、図７は貼付体が貼付けられた状態を示す縦断側面図、図８は貼付体が貼付けられた状態を示す部分正面図である。
【００２６】
図示した貼付構造は、テレビ画像等を表示し、前面視略直方形をなす表示装置Ａの前面下部に貼付けられる装飾板２の貼付構造である。
【００２７】
表示装置Ａは、前面に表示面ａを有し、略直方体をなす表示部の前面周縁部を覆う枠状のキャビネット１と、表示部の後側を覆うカバーと、表示部の下部に装着されたスピーカとを備える。キャビネット１の下部で、スピーカの前側には複数の微小孔を有し、キャビネット１の下部を装飾する短冊状の装飾板２が貼付けられている。キャビネット１は被貼付物を構成し、装飾板２は貼付体を構成する。
【００２８】
キャビネット１の装飾板２が貼付けられる横長矩形の貼付板部１１は段部１２にて若干後側へ変位し、段部１１における横方向の中間に、上下に貫通（前側と後側に貫通）する一つ又は複数の位置決め孔１３が前側から見えないように開設されている。
【００２９】
位置決め孔１３は、装飾板２の横方向の長さに対応して１箇所又は複数箇所に設けられる。図示した貼付板部１１には長手方向中央側の１箇所に開設されている。
【００３０】
段部１２の前面及び貼付板部１１の前面上部にはキャビネット１の両側縁近傍に亘って溝１４，１５が形成され、断面略Ｊ字状をなす装飾杆１６の幅方向両端部が溝１４，１５に嵌入保持されている。貼付板部１１の前面は被貼付面１１ａを構成しており、該被貼付面１１ａの上縁から外側（上側）へ出た位置に位置決め孔１３が配されている。
【００３１】
装飾板２は短冊状をなし、貼付板部１１に貼付けられる側の面に接着層としての両面テープを有する装飾板本体２１、及び該装飾板本体２１の両面テープに接着されている剥離紙２２を有する。装飾板本体２１は周縁に凸部がないシンプルな形状である。
【００３２】
剥離紙２２は、上縁の一部から装飾板本体２１の上縁よりも外側（上側）へ延出され、位置決め孔１３に挿入されるべき位置決め凸部２２ａ（凸部）が一体に設けられ、下縁の一部から装飾板本体２１の下縁よりも外側（下側）へ延出された摘み片２２ｂが一体に設けられている。
【００３３】
位置決め凸部２２ａは、位置決め孔１３に対応して長手方向両側の２箇所又は長手方向中央側の１箇所に設けられる。
【００３４】
摘み片２２ｂは位置決め凸部２２ａと若干横方向へ離隔した箇所に配されており、該摘み片２２ｂの横方向中間の位置において位置決め凸部２２ａを有する凸部側部分２２ｃと非凸部側部分２２ｄとに分断するスリット２２ｅが剥離紙２２の長手方向と直交するように剥離紙２２に設けられている。スリット２２ｅは、剥離紙２２の幅方向両縁に亘って形成され、スリット２２ｅにて分断された摘み片２２ｂの一方を摘んで非凸部側部分２２ｄを一端側へ剥離し、摘み片２２ｂの他方を摘んで凸部側部分２２ｃを他端側へ剥離することができるように構成されている。
【００３５】
以上のように構成された貼付構造は、装飾板本体２１の両面テープに接着されている剥離紙２２に位置決め凸部２２ａが設けられているため、剥離紙２２が剥離された際には、装飾板本体２１から位置決め凸部２２ａがなくなる。
【００３６】
装飾板２を貼付ける貼付方法は次の工程で行われる。
(1) 把持された装飾板２を貼付板部前側の被貼付面１１ａに対向させた状態で装飾板２の位置決め凸部２２ａを、キャビネット１における段部１２の位置決め孔１３に嵌入することにより、装飾板２の横方向（長手方向）の位置及び上下方向（幅方向）の位置を決めることができる。
(2) 位置決めした状態で、一方の摘み片２２ｂを摘み、剥離紙２２の非凸部側部分２２ｄを長手方向中央側から一端側へ剥離しつつ装飾板本体２１を貼付板部１１側へ押圧することにより装飾板本体２１の一端側を被貼付面１１ａに貼付けることができる。
(3) 装飾板本体２１の一端側が被貼付面１１ａに貼付けられている状態で、他方の摘み片２２ｂを摘み、剥離紙２２の凸部側部分２２ｃを長手方向中央側から他端側へ剥離しつつ装飾板本体２１を貼付板部１１側へ押圧することにより装飾板本体２１の他端側を被貼付面１１ａの適正位置に正確に貼付けることができる。この際、位置決め凸部２２ａは凸部側部分２２ｃに設けられているため、凸部側部分２２ｃの剥離に伴って位置決め凸部２２ａもなくなる。
【００３７】
以上のように装飾板本体２１が貼付板部１１に貼付けられるまでは位置決め凸部２２ａがあり、該位置決め凸部２２ａにて装飾板２の貼付け位置を決めることができるため、装飾板本体２１を適正位置に容易に貼付けることができる。しかも、貼付けられた状態では位置決め凸部２２ａがないため、装飾板本体２１が貼付板部１１に貼付けられた後、溝１４，１５に装着される装飾杆１６に、位置決め凸部２２ａに対応する欠除部を設ける必要がなく、欠除部のない装飾杆１６をキャビネット１の溝１４，１５部に装着することができ、装飾杆１６のコスト、ひいては表示装置のコストを低減することができる。また、貼付けられた装飾板本体２１は、周縁に位置決め凸部２２ａがないシンプルな形状であるため、位置決め凸部２２ａの一部が外側から見えることもなく、品位を高めることができる。
【００３８】
実施の形態２
図９は貼付体の他の構成を示す部分背面図である。この貼付構造は、剥離紙２２にスリットがなく、装飾板本体２１に対応する一枚の剥離紙２２を有しており、その他の構成は実施の形態１と同じである。
一枚の剥離紙２２の上縁には位置決め凸部２２ａが一体に設けられている。
【００３９】
以上のように構成された貼付構造は、装飾板本体２１の両面テープに接着されている剥離紙２２に位置決め凸部２２ａが設けられているため、剥離紙２２が剥離された際には、装飾板本体２１から位置決め凸部２２ａがなくなる。
【００４０】
装飾板２を貼付ける貼付方法は次の工程で行われる。
(1) 把持された装飾板２を貼付板部前側の被貼付面１１ａに対向させた状態で装飾板２の位置決め凸部２２ａを、キャビネット１における段部１２の位置決め孔１３に嵌入することにより、装飾板２の横方向の位置及び上下方向の位置を決めることができる。
(2) 位置決めした状態で、剥離紙２２を、長手方向一端部から他端部側へ剥離しつつ装飾板本体２１を一端部側から貼付板部１１側へ押圧することにより装飾板本体２１を被貼付面１１ａに貼付けることができる。この際、位置決め凸部２２ａは剥離紙２２に設けられているため、剥離紙２２の剥離に伴って位置決め凸部２２ａもなくなる。装飾板本体２１は、位置決め凸部２２ａが剥離されるまでの間に一部が貼付けられているため、位置ずれすることなく適正位置に正確に貼付けることができる。尚、剥離紙の剥離は、上述のように長手方向の一端部から行われる他、幅方向の非位置決め凸部２２ａ側から行われてもよく、剥離の仕方は特に制限されない。
【００４１】
以上のように装飾板本体２１が貼付板部１１に貼付けられるまでは位置決め凸部２２ａがあり、該位置決め凸部２２ａにて装飾板２の貼付け位置を決めることができるため、装飾板本体２１を適正位置に容易に、且つ正確に貼付けることができる。しかも、貼付けられた状態では位置決め凸部２２ａがないため、装飾板本体２１が貼付板部１１に貼付けられた後に装着される装飾杆１６に、位置決め凸部２２ａに対応する欠除部を設ける必要がなく、欠除部のない装飾杆１６をキャビネット１の溝１４，１５部に装着することができ、装飾杆１６のコスト、ひいては表示装置のコストを低減することができる。また、貼付けられた装飾板本体２１は、周縁に位置決め凸部２２ａがないシンプルな形状であるため、位置決め凸部２２ａの一部が外側から見えることもなく、品位を高めることができる。
その他の構成及び作用は実施の形態１と同様であるため、同様の部品については同じ符号を付し、その詳細な説明及び作用効果の説明を省略する。
【００４２】
実施の形態３
図１０は貼付体の他の構成を示す部分背面図である。この貼付構造は、剥離紙の長手方向中間にスリットを設ける代わりに、剥離紙の幅方向中間にスリットを設け、幅方向中間の位置において位置決め凸部２２ａを有する凸部側部分２２ｃと非凸部側部分２２ｄとに分断したものである。
【００４３】
この構成にあっては、位置決め凸部が位置決め孔に嵌入され、位置決めされた状態で非凸部側部分２２ｄが剥離され、凸部側部分２２ｃが剥離される。
その他の構成及び作用は実施の形態１と同様であるため、同様の部品については同じ符号を付し、その詳細な説明及び作用効果の説明を省略する。
【００４４】
図１１Ａ乃至図１１Ｃは貼付構造の他の構成を示す説明図である。図１１Ａの貼付構造は、キャビネット１等の被貼付物Ｂの表面に、略Ｌ字状をなす位置決め凸部３が設けられ、矩形をなすラベル、シート等の比較的小形の貼付体４は、背面に接着層を有する貼付体本体４１の接着層に、貼付体本体４１とほぼ等しい大きさの矩形の剥離紙４２が接着されている。貼付体４の一つの角部が位置決め凸部３の内側面に嵌合された状態で剥離紙４２が位置決め凸部３と反対側から剥離され、貼付体本体４１が貼付けられる。
【００４５】
図１１Ｂの貼付構造は、キャビネット１等の被貼付物Ｂの角部が直角状をなし、矩形をなすラベル、シート等の比較的小形の貼付体５は、背面に接着層を有する貼付体本体５１の接着層に、貼付体本体５１の一つの角部よりも外側へ突出する位置決め凸部５２ａを有する矩形の剥離紙５２が接着されている。位置決め凸部５２ａは、貼付体本体５１の隣合う二つの辺に亘って形成されている。貼付体５の位置決め凸部５２ａが被貼付物Ｂの角部の形状に沿うように配置された状態で剥離紙５２が位置決め凸部５２ａと反対側から剥離され、貼付体本体５１が貼付けられる。
【００４６】
図１１Ｃの貼付構造は、キャビネット１等の被貼付物Ｂの角部が直角状をなし、矩形をなすラベル、シート等の比較的小形の貼付体６は、背面に接着層を有する貼付体本体６１の接着層に、貼付体本体６１の一つの角部よりも外側へ突出する位置決め凸部６２ａを有する矩形の剥離紙６２が接着され、該剥離紙６２の中間にスリット６２ｂが形成され、該スリット６２ｂにより、凸部側部分と非凸部側部分とに分断されている。位置決め凸部６２ａは、貼付体本体６１の隣合う二つの辺に亘って形成され、位置決め凸部６２ａにもスリット６２ｂが形成されている。貼付体６の位置決め凸部６２ａが被貼付物Ｂの角部の形状に沿うように配置された状態で剥離紙６２の非凸部側部分が剥離され、貼付体本体６１の位置決め凸部６２ａと反対側が貼付けられた後、凸部側部分が剥離され、貼付体本体６１の位置決め凸部６２ａ側が貼付けられる。
【００４７】
尚、以上説明した実施の形態では、前側に表示面ａを有し、前面視略直方体をなす表示装置Ａにおけるキャビネット１の下部に貼付けられる装飾板２のキャビネット１への貼付構造について説明したが、その他、装飾板２を含む貼付体は、キャビネット１を含む被貼付物に貼付けられる側の面に両面テープなどの接着層を有するラベル、シールなどであってもよく、貼付体の形態は特に制限されない。この場合、被貼付物は表示装置Ａである他、ビデオ機器等の電子機器であってもよく、その対象は特に制限されない。
【００４８】
また、以上説明した実施の形態では、位置決め孔が位置決め凹部を構成しているが、その他、位置決め凹部は被貼付物の表面が単に窪む凹みであってもよい。この場合においても、位置決め凸部２２ａは剥離紙２２とともに除去され、位置決め凸部２２ａは外部から見えない。
【００４９】
また、以上説明した実施の形態の装飾板本体２１と剥離紙２２とはほぼ等しい大きさに形成されているが、その他、剥離紙２２は装飾板本体２１等の貼付体本体よりも小さい大きさであってもよく、等しくする必要性はない。
【００５０】
また、以上説明した実施の形態１において、剥離紙２２のスリット２２ｅは、剥離紙２２の長手方向と直交するように形成される他、剥離紙２２の長手方向と交差するように形成されてもよい。また、剥離紙２２の摘み片２２ｂは、剥離紙２２の長手方向中央側に設けられる他、長手方向の端末を含む端部に設けられてもよいし、また、摘み片２２ｂがなくてもよい。
【符号の説明】
【００５１】
１    キャビネット（被貼付物）
１１ａ  被貼付面
１３  位置決め孔（位置決め凹部）
２    装飾板（貼付体）
２１  装飾板本体（貼付体本体）
２２、４２、５２、６２  剥離紙
２２ａ、３、５２ａ、６２ａ  位置決め凸部
２２ｂ  摘み片
２２ｃ  凸部側部分
２２ｄ  非凸部側部分
２２ｅ、６２ｂ  スリット
４、５、６  貼付体
４１、５１  貼付体本体
【図１】
2013133457.tif 000003
【図２】
2013133457.tif 000004
【図３】
2013133457.tif 000005
【図４】
2013133457.tif 000006
【図５】
2013133457.tif 000007
【図６】
2013133457.tif 000008
【図７】
2013133457.tif 000009
【図８】
2013133457.tif 000010
【図９】
2013133457.tif 000011
【図１０】
2013133457.tif 000012
【図１１】
2013133457.tif 000013
【図１２】
2013133457.tif 000014